【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
被験体に対してインピーダンス測定を行うために用いられる方法であって、
処理システムにおいて、
ａ）第１電極構成を用いてある部位において測定される少なくとも１つの第１インピーダンス値を確定するステップと、
ｂ）第２電極構成を用いて前記部位において測定される少なくとも１つの第２インピーダンス値を確定するステップと、
ｃ）前記第１インピーダンス値および前記第２インピーダンス値を用いて、異常の有無または程度を確定するステップと、
を含む方法。
【請求項２】
４極電極配置を用いるステップを含み、前記第１電極構成および前記第２電極構成が、駆動電極および測定電極の異なる構成を用いる、請求項１に記載の方法。
【請求項３】
前記処理システムにおいて、４つの電極構成の各々に対してインピーダンス値を確定するステップを含む、請求項２に記載の方法。
【請求項４】
信号発生器、センサ、切替装置、および複数の電極を有する電極アレイを有する装置を使用し、前記処理システムにおいて、
ａ）前記切替装置を用いて前記信号発生器と前記電極とを選択的に相互接続し、
ｂ）前記切替装置を用いて前記センサと前記電極とを選択的に相互接続する
ことにより、前記電極構成を制御するステップを含む、請求項１〜３のいずれか一項に記載の方法。
【請求項５】
前記処理システムにおいて、
ａ）少なくとも１つの駆動信号が前記被験体に印加されるようにするステップと、
ｂ）前記被験体において少なくとも１つの誘導信号を測定するステップと、
ｃ）前記励起信号および前記誘導信号の指示を用いて少なくとも１つのインピーダンス値を確定するステップと、
を含む、請求項１〜４のいずれか一項に記載の方法。
【請求項６】
前記処理システムにおいて、
ａ）複数の異なる部位においてインピーダンス値を確定するステップと、
ｂ）各部位における前記インピーダンス値を用いてインピーダンスマップを確定するステップと、
を含む、請求項１〜５のいずれか一項に記載の方法。
【請求項７】
前記処理システムにおいて、
ａ）前記部位のうちの任意の１つにおいて異常の存在を確定するステップと、
ｂ）前記異常を考慮して前記インピーダンスマップを確定するステップと、
を含む、請求項６に記載の方法。
【請求項８】
前記処理システムにおいて、異常を有する部位に対し、
ａ）前記インピーダンスマップから前記部位を排除するステップと、
ｂ）前記部位に対して確定された前記インピーダンス値を変更するステップと、
のうちの少なくとも１つを含む、請求項７に記載の方法。
【請求項９】
前記処理システムにおいて、
ａ）前記第１インピーダンス値と前記第２インピーダンス値との差を確定するステップと、
ｂ）前記確定された差を用いて異常の有無または程度を確定するステップと、
を含む、請求項１〜８のいずれか一項に記載の方法。
【請求項１０】
前記処理システムにおいて、
ａ）前記第１インピーダンス値と前記第２インピーダンス値との差を確定するステップと、
ｂ）前記差を基準と比較するステップと、
ｃ）前記比較の結果に応じて異常を確定するステップと、
を含む、請求項１〜９のいずれか一項に記載の方法。
【請求項１１】
前記処理システムにおいて、
ａ）前記第１インピーダンス値と前記第２インピーダンス値とを比較するステップと、
ｂ）前記比較の結果を用いて生物学的異常の有無または程度を確定するステップと、
を含む、請求項１〜１０のいずれか一項に記載の方法。
【請求項１２】
前記基準が、前記被験体に対して事前に測定された差の値である、請求項１〜１１のいずれか一項に記載の方法。
【請求項１３】
前記インピーダンス値が、
ａ）測定されたインピーダンス値と、
ｂ）測定されたインピーダンス値から導き出されたインピーダンスパラメータ値と、
のうちの少なくとも１つである、請求項１〜１２のいずれか一項に記載の方法。
【請求項１４】
前記インピーダンスパラメータ値が、
ａ）無限印加周波数でのインピーダンス（Ｒ∞）と、
ｂ）ゼロ印加周波数でのインピーダンス（Ｒ０）と、
ｃ）特性周波数でのインピーダンス（Ｚｃ）と、
のうちの少なくとも１つを含む、請求項１２に記載の方法。
【請求項１５】
前記処理システムにおいて、以下の式を用いて少なくとも部分的に前記インピーダンス値を確定するステップを含み、
【数１】
2010535544.tif 000001
ここで、
Ｒ∞＝無限印加周波数でのインピーダンス、
Ｒ０＝ゼロ印加周波数でのインピーダンス、
ω＝角周波数、
τは被験体応答をモデル化する容量回路の時定数であり、
αは０〜１の間の値である、請求項１３に記載の方法。
【請求項１６】
前記処理システムにおいて、
ａ）第１電極構成を用いてある部位において少なくとも１つの第１インピーダンス値が測定されるようにするステップと、
ｂ）第２電極構成を用いて前記部位において少なくとも１つの第２インピーダンス値が測定されるようにするステップと、
を含む、請求項１〜１５のいずれか一項に記載の方法。
【請求項１７】
前記処理システムが、インピーダンス測定を行う測定装置の一部を形成する、請求項１〜１６のいずれか一項に記載の方法。
【請求項１８】
前記異常が、
ａ）組織異常と、
ｂ）誤った測定値と、
のうちのいずれか１つまたは組合せを含む、請求項１〜１７のいずれか一項に記載の方法。
【請求項１９】
前記組織異常が組織病変である、請求項１８に記載の方法。
【請求項２０】
前記インピーダンス測定が、複数の電極が提供されている電極アレイを有する装置を用いて行われ、前記処理システムにおいて、前記アレイの前記電極のうちの異なるものを用いてインピーダンス測定が行われるようにするステップを含む、請求項１〜１９のいずれか一項に記載の方法。
【請求項２１】
ａ）駆動電極として第１電極および第２電極を用い、測定電極として第３電極および第４電極を用いて、ある部位において第１測定が行われるようにするステップと、
ｂ）駆動電極として第１電極および第３電極を用い、測定電極として第２電極および第４電極を用いて、前記部位において第２測定が行われるようにするステップと、
を含む、請求項２０に記載の方法。
【請求項２２】
ａ）駆動電極として第１電極および第２電極を用い、測定電極として第３電極および第４電極を用いて、ある部位において測定が行われるようにするステップと、
ｂ）前記第１電極、前記第２電極、前記第３電極および前記第４電極のうちの少なくとも２つを用いて、第２部位において測定が行われるようにするステップと、
を含む、請求項２０または２１に記載の方法。
【請求項２３】
ａ）駆動電極として第１電極および第２電極を用い、測定電極として第３電極および第４電極を用いて、第１部位において第１測定が行われるようにするステップと、
ｂ）駆動電極として第１電極および第３電極を用い、測定電極として第２電極および第４電極を用いて、前記第１部位において第２測定が行われるようにするステップと、
ｃ）駆動電極として第３電極および第５電極を用い、測定電極として第４電極および第６電極を用いて、第２部位において第１測定が行われるようにするステップと、
ｄ）駆動電極として第３電極および第４電極を用い、測定電極として第５電極および第６電極を用いて、前記第２部位において第２測定が行われるようにするステップと、
を含む、請求項２０に記載の方法。
【請求項２４】
前記装置が、駆動信号を生成する信号発生器と、測定信号を検知するセンサと、マルチプレクサと、を有し、前記処理システムにおいて、前記マルチプレクサを用いて、前記信号発生器および前記センサを前記アレイの電極に選択的に相互接続するステップを含む、請求項２０〜２３のいずれか一項に記載の方法。
【請求項２５】
被験体に対して行われるインピーダンス測定を解析する際に用いられる装置であって、
ａ）第１電極構成を用いてある部位において測定される少なくとも１つの第１インピーダンス値を確定し、
ｂ）第２電極構成を用いて前記部位において測定される少なくとも１つの第２インピーダンス値を確定し、
ｃ）前記第１インピーダンス値および前記第２インピーダンス値を用いて、異常の有無または程度を確定する
処理システムを有する、装置。
【請求項２６】
ａ）駆動電極を用いて前記被験体に駆動信号を印加する信号発生器と、
ｂ）測定電極を用いて測定信号を確定するセンサと、
を有する、請求項２５に記載の装置。
【請求項２７】
前記処理システムが、
ａ）前記信号発生器に対し、前記被験体に１つまたは複数の駆動信号を印加させ、
ｂ）前記センサを用いて測定される前記測定信号の指示を確定する、請求項２６に記載の装置。
【請求項２８】
前記処理システムが、
ａ）前記被験体に印加される駆動信号の指示を確定し、
ｂ）前記センサを用いて確定される測定信号の指示を確定し、
ｃ）前記指示を用いてインピーダンスを確定する、請求項２５〜２７のいずれか一項に記載の装置。
【請求項２９】
複数の電極が提供される電極アレイを有し、使用時、前記電極のうちの選択されたものが駆動電極および測定電極として用いられる、請求項２５〜２８のいずれか一項に記載の装置。
【請求項３０】
前記処理システムが、
ａ）駆動電極として第１電極および第２電極を用い、測定電極として第３電極および第４電極を用いて、ある部位において第１測定が行われるようにし、
ｂ）駆動電極として第１電極および第３電極を用い、測定電極として第２電極および第４電極を用いて、前記部位において第２測定が行われるようにする、請求項２９に記載の装置。
【請求項３１】
前記方法が、
ａ）駆動電極として第１電極および第２電極を用い、測定電極として第３電極および第４電極を用いて、ある部位において測定が行われるようにするステップと、
ｂ）前記第１電極、前記第２電極、前記第３電極および前記第４電極のうちの少なくとも２つを用いて、第２部位において測定が行われるようにするステップと、
を含む、請求項２９または３０に記載の装置。
【請求項３２】
前記方法が、
ａ）駆動電極として第１電極および第２電極を用い、測定電極として第３電極および第４電極を用いて、第１部位において第１測定が行われるようにするステップと、
ｂ）駆動電極として第１電極および第３電極を用い、測定電極として第２電極および第４電極を用いて、前記第１部位において第２測定が行われるようにするステップと、
ｃ）駆動電極として第３電極および第５電極を用い、測定電極として第４電極および第６電極を用いて、第２部位において第１測定が行われるようにするステップと、
ｄ）駆動電極として第３電極および第４電極を用い、測定電極として第５電極および第６電極を用いて、前記第２部位において第２測定が行われるようにするステップと、
を含む、請求項２９に記載の装置。
【請求項３３】
ａ）駆動信号を生成する信号発生器と、
ｂ）測定信号を検知するセンサと、
ｃ）マルチプレクサと、
を有し、前記処理システムが、前記マルチプレクサを用いて前記信号発生器および前記センサを前記アレイの電極に選択的に相互接続する、請求項２５〜３２のいずれか一項に記載の装置。